(57)【要約】【課題】排気中に白煙が生じることを抑制しつつも、パティキュレートフィルタの再生に要する時間が長くなることを抑制する。【解決手段】内燃機関における排気通路の途中には、排気中に含まれる炭化水素及び一酸化炭素を酸化して浄化する酸化触媒が配置されている。排気通路における酸化触媒よりも下流側には、排気中に含まれる微粒子を捕集するパティキュレートフィルタが配置されている。排気通路において酸化触媒よりも上流側には、排気通路内に燃料を添加する燃料添加弁が取り付けられている。電子制御装置は、燃料添加弁に燃料を添加させることによりパティキュレートフィルタに捕集されている微粒子を燃焼させるフィルタ再生処理を実行可能である。また、電子制御装置は、酸化触媒の温度を、当該酸化触媒の活性化温度よりも高い温度であって酸化触媒に固着した堆積物を燃焼可能な温度として定められた規定温度以上にする触媒再生処理を実行可能である。【選択図】図２
2020063709.tif 000002
【特許請求の範囲】
【請求項１】
排気通路の途中に、排気中に含まれる炭化水素及び一酸化炭素を酸化して浄化する酸化触媒が配置され、
前記排気通路における前記酸化触媒よりも下流側に、排気中に含まれる微粒子を捕集するパティキュレートフィルタが配置され、
前記排気通路において前記酸化触媒よりも上流側に前記排気通路内に燃料を添加する燃料添加弁が取り付けられている内燃機関に適用され、
前記燃料添加弁に燃料を添加させることにより前記パティキュレートフィルタに捕集されている微粒子を燃焼させるフィルタ再生処理を実行可能な制御装置であって、
前記酸化触媒の温度を、当該酸化触媒の活性化温度よりも高い温度であって前記酸化触媒に固着した堆積物を燃焼可能な温度として定められた規定温度以上にする触媒再生処理を実行可能である
ことを特徴とする内燃機関の制御装置。
【発明の詳細な説明】
【技術分野】
【０００１】
本発明は、内燃機関の制御装置に関する。
【背景技術】
【０００２】
特許文献１の内燃機関において排気通路の途中には、排気中に含まれる炭化水素や一酸化炭素を酸化して浄化する酸化触媒が配置されている。排気通路において酸化触媒よりも下流側には、排気中に含まれる微粒子を捕集するパティキュレートフィルタが配置されている。排気通路において酸化触媒よりも上流側には、排気通路内に燃料を添加する燃料添加弁が取り付けられている。特許文献１の内燃機関においては、パティキュレートフィルタに捕集されている微粒子の量が一定量を超えていると推定される場合に、燃料添加弁から排気通路内に燃料が添加される。このように排気通路内に燃料が添加されることで、パティキュレートフィルタを流通する排気の温度が高くなる。そして、その高温の排気によって、パティキュレートフィルタに捕集されている微粒子が燃焼されて、パティキュレートフィルタが再生される。
【０００３】
また、特許文献１の内燃機関においては、パティキュレートフィルタの再生時において排気中に白煙が生じない排気空燃比（Ａ／Ｆ）の限界値を算出する。そして、排気空燃比が算出した限界値よりも排気空燃比がリーンとなるように、燃料添加弁からの燃料の添加量が制御される。
【先行技術文献】
【特許文献】
【０００４】
【特許文献１】特開２０１１−２３１６４５号公報
【発明の概要】
【発明が解決しようとする課題】
【０００５】
特許文献１の内燃機関においては、酸化触媒の触媒性能が低下すると排気空燃比の限界値がリーン側の値として算出され、燃料添加弁から添加できる燃料の添加量が少なくなる。そのため、パティキュレートフィルタの再生時において、パティキュレートフィルタに捕集された微粒子を燃焼するに足る温度にまでパティキュレートフィルタの温度を高めるのに、長い時間を要することがある。したがって、排気中に白煙が生じることを抑制しつつも、パティキュレートフィルタの再生に要する時間が長くなることを抑制できる技術が求められる。
【課題を解決するための手段】
【０００６】
上記課題を解決するため、本発明は、排気通路の途中に、排気中に含まれる炭化水素及び一酸化炭素を酸化して浄化する酸化触媒が配置され、前記排気通路における前記酸化触媒よりも下流側に、排気中に含まれる微粒子を捕集するパティキュレートフィルタが配置され、前記排気通路において前記酸化触媒よりも上流側に前記排気通路内に燃料を添加する燃料添加弁が取り付けられている内燃機関に適用され、前記燃料添加弁に燃料を添加させることにより前記パティキュレートフィルタに捕集されている微粒子を燃焼させるフィルタ再生処理を実行可能な制御装置であって、前記酸化触媒の温度を、当該酸化触媒の活性化温度よりも高い温度であって前記酸化触媒に固着した堆積物を燃焼可能な温度として定められた規定温度以上にする触媒再生処理を実行可能である。
【０００７】
上記構成において、酸化触媒の触媒性能の低下原因の一つとして、酸化触媒に堆積物が固着して、酸化触媒における有効反応面積が減少することが挙げられる。上記構成によれば、触媒再生処理が実行されると、酸化触媒に固着した堆積物が燃焼されて除去される。したがって、酸化触媒の触媒性能の低下に起因して排気中に白煙が生じることは抑制できる。そして、触媒再生処理の実行後に行われるフィルタ再生処理においては、燃料添加弁からの燃料の添加量を減少させなくても、酸化触媒において燃料の大部分を酸化して排気を昇温できる。したがって、微粒子を燃焼するに足る温度にまでパティキュレートフィルタの温度を高めるのに過度に長い時間を要することはない。
【図面の簡単な説明】
【０００８】
【図１】内燃機関の吸気系及び排気系の概略構成図。
【図２】燃料添加制御のフローチャート。
【発明を実施するための形態】
【０００９】
以下、内燃機関１０の一実施形態を説明する。先ず、内燃機関１０における吸気系及び排気系の概略構成を図１に従って説明する。
図１に示すように、内燃機関１０は、燃料の燃焼が行われる機関本体１１を備えている。図示は省略するが、機関本体１１は、複数（この実施形態では４つ）の気筒が区画されたシリンダブロック、気筒内へと吸気を導く吸気ポートや気筒内からの排気が排出される排気ポートが区画されたシリンダヘッド等によって構成されている。
【００１０】
機関本体１１には、当該機関本体１１内部の気筒に吸気を供給するための吸気管１２が、図示しないインテークマニホールドを介して接続されている。インテークマニホールドの上流側は１つの管状になっており、インテークマニホールドの下流側は気筒の数に応じて４つに分岐している。吸気管１２の途中には、吸気管１２の内部を流通する吸気流量Ｇａを検出するエアフローメータ３１が取り付けられている。
【００１１】
機関本体１１には、当該機関本体１１内部の気筒からの排気が流通するエキゾーストマニホールド１３が接続されている。エキゾーストマニホールド１３の上流側は、気筒の数に応じて４つに分岐している。エキゾーストマニホールド１３の下流側は、分岐した４つの管が集合して１つの管になっている。エキゾーストマニホールド１３の下流端には、ターボチャージャ２０が接続されている。
【００１２】
ターボチャージャ２０は、排気の流れを利用して駆動するタービン部２１と、タービン部２１の駆動に基づき吸気を圧送するコンプレッサ部２２と、これらを連結するベアリング部２３とで構成されている。コンプレッサ部２２は、吸気管１２におけるエアフローメータ３１よりも下流側に配置されている。また、タービン部２１の上流端は、上記したエキゾーストマニホールド１３の下流端に接続されている。タービン部２１の下流端には、排気管１４が接続されている。なお、この実施形態では、エキゾーストマニホールド１３、ターボチャージャ２０におけるタービン部２１の内部、排気管１４によって、排気通路１５が構成されている。
【００１３】
排気管１４の途中には、排気中に含まれる炭化水素（ＨＣ）や一酸化炭素（ＣＯ）を酸化して浄化する酸化触媒１６が配置されている。排気管１４における酸化触媒１６よりも下流側には、排気中に含まれる微粒子を捕集するディーゼルパティキュレートフィルタ１７（以下、フィルタ１７と略記する。）が配置されている。
【００１４】
排気通路１５におけるエキゾーストマニホールド１３には、排気通路１５内に燃料を添加する燃料添加弁３２が取り付けられている。燃料添加弁３２は、エキゾーストマニホールド１３の下流部、すなわち分岐した管が合流して１つの管になっている部分に取り付けられている。なお、エキゾーストマニホールド１３は、酸化触媒１６よりも上流側に位置しているため、当該エキゾーストマニホールド１３に取り付けられている燃料添加弁３２も、酸化触媒１６よりも上流側に位置している。
【００１５】
排気管１４におけるターボチャージャ２０におけるタービン部２１よりも下流側であって酸化触媒１６よりも上流側には、第１温度センサ３３が取り付けられている。第１温度センサ３３は、酸化触媒１６に供給される排気の温度を、触媒入口温度Ｔ１として検出する。排気管１４における酸化触媒１６よりも下流側であってフィルタ１７よりも上流側には、第２温度センサ３４が取り付けられている。第２温度センサ３４は、フィルタ１７に供給される排気の温度を、フィルタ入口温度Ｔ２として検出する。
【００１６】
排気管１４におけるフィルタ１７よりも下流側には、第３温度センサ３５が取り付けられている。第３温度センサ３５は、フィルタ１７から排出される排気の温度を、フィルタ出口温度Ｔ３として検出する。排気管１４におけるフィルタ１７よりも下流側には、空燃比センサ３６が取り付けられている。空燃比センサ３６は、フィルタ１７から排出される排気の空燃比を、排気空燃比Ｒとして検出する。
【００１７】
上記のように構成された内燃機関１０は、電子制御装置４０によって制御される。電子制御装置４０は、各種のプログラム（アプリケーション）が格納された不揮発性のＲＯＭ、各プログラムを実行する演算部、プログラムの実行等にあたってデータが一時的に記憶される揮発性のＲＡＭ等を備えたコンピュータである。
【００１８】
電子制御装置４０には、上述したエアフローメータ３１から吸気流量Ｇａを示す信号が入力される。また、電子制御装置４０には、第１温度センサ３３、第２温度センサ３４、及び第３温度センサ３５から、触媒入口温度Ｔ１、フィルタ入口温度Ｔ２、フィルタ出口温度Ｔ３を示す信号が入力される。さらに、電子制御装置４０には、空燃比センサ３６から、排気空燃比Ｒを示す信号が入力される。
【００１９】
電子制御装置４０は、燃料添加弁３２に燃料を添加させることによりフィルタ１７に捕集されている微粒子を燃焼させるフィルタ自動再生処理を実行可能になっている。フィルタ自動再生処理は、フィルタ１７に捕集されている微粒子の量が予め定められた規定値を超えたと推測されたときに実行される。そして、フィルタ自動再生処理が実行されると、電子制御装置４０は、燃料添加弁３２に制御信号Ｓを送信して、当該燃料添加弁３２に燃料を添加させる。燃料添加弁３２から排気通路１５内に噴射された燃料は、酸化触媒１６に達すると酸化され、これに伴って排気の温度が上昇する。そして、酸化触媒１６にて昇温された排気がフィルタ１７に流入することにより、当該フィルタ１７が昇温される。これによりフィルタ１７に堆積した微粒子が燃焼され、フィルタ１７が再生する。
【００２０】
電子制御装置４０は、上記フィルタ自動再生処理中の燃料添加弁３２からの燃料の添加量を制御する。具体的には、エアフローメータ３１が検出する吸気流量Ｇａと機関本体１１内で燃焼される燃料の量とに基づいて、排気に含まれる酸素の量を推定し、推定した酸素で燃焼できる範囲内で、燃料添加弁３２からの燃料の添加量を設定する。したがって、内燃機関１０が全て正常に機能している理想条件下では、フィルタ自動再生処理中に添加された燃料のほぼ全てが燃焼される。
【００２１】
また、電子制御装置４０は、フィルタ自動再生処理中において、燃料添加弁３２から添加された燃料が燃焼しきれていないと推定される場合には、フィルタ自動再生処理を終了する。そして、電子制御装置４０は、酸化触媒１６に固着した堆積物を燃焼可能な温度として定められた規定温度以上に制御する触媒再生処理を実行する。
【００２２】
次に、電子制御装置４０による燃料添加制御（フィルタ自動再生処理及び触媒再生処理）の流れを、図２に従って説明する。なお、下記の一連の制御は、車両のシステム起動スイッチ（スタートスイッチ、イグニッションスイッチ等と呼称されることもある。）が操作されたときに実行される。
【００２３】
図２に示すように、燃料添加制御が実行されると、電子制御装置４０は、ステップＳ１１の処理を実行する。ステップＳ１１では、電子制御装置４０は、フィルタ１７の自動再生前提条件が成立しているか否かを判定する。フィルタ１７の自動再生前提条件としては、例えば、排気管１４におけるフィルタ１７の上流側の圧力とフィルタ１７の下流側の圧力との差圧が開始規定圧よりも大きいこと、フィルタ１７の自動再生処理が前回実行されてから現在までの各気筒内に噴射された燃料の積算量が規定量を超えていることなどが挙げられる。自動再生前提条件が成立していないと判定された場合（ステップＳ１１においてＮＯ）、電子制御装置４０の処理はリターンされ、再びステップＳ１１の処理が実行される。一方、自動再生前提条件が成立していると判定された場合（ステップＳ１１においてＹＥＳ）、電子制御装置４０の処理は、ステップＳ１２に移行する。
【００２４】
ステップＳ１２では、電子制御装置４０は、フィルタ１７の自動再生処理を実行する。すなわち、電子制御装置４０は、燃料添加弁３２に、排気通路１５内へと燃料を添加させる。なお、この燃料添加弁３２からの燃料添加は、フィルタ１７の自動再生処理の実行中に周期的に行われる。その後、電子制御装置４０の処理は、ステップＳ１３へ移行する。
【００２５】
ステップＳ１３では、電子制御装置４０は、一定期間待機する。この一定期間は、燃料添加弁３２で添加された燃料の影響が、排気通路１５におけるフィルタ１７よりも下流側に現れるのに十分な時間として定められており、例えば数秒から数十秒である。その後、電子制御装置４０は、空燃比センサ３６が検出する排気空燃比Ｒが、予め定められた閾値Ｘを超えているか否かを判定する。閾値Ｘは、排気空燃比Ｒが当該閾値Ｘを超えているとき（燃料リッチであるとき）に、未燃の燃料に起因して排気中に白煙が生じ得る値として予め定められており、例えば試験やシミュレーションに基づき求められた値である。排気空燃比Ｒが閾値Ｘ以下であると判定された場合（ステップＳ１３においてＮＯ）、電子制御装置４０の処理は、ステップＳ１４に移行する。
【００２６】
ステップＳ１４では、電子制御装置４０は、フィルタ１７の自動再生終了条件が成立しているか否かを判定する。フィルタ１７の自動再生終了条件としては、例えば、排気管１４におけるフィルタ１７の上流側の圧力とフィルタ１７の下流側の圧力との差圧が終了規定圧よりも小さくなったこと、フィルタ１７の自動再生処理が開始されてからの時間が予め定められた規定時間以上になったことなどが挙げられる。フィルタ１７の自動再生終了条件が成立していないと判定された場合（ステップＳ１４においてＮＯ）、電子制御装置４０の処理は、ステップＳ１３に戻る。フィルタ１７の自動再生終了条件が成立していると判定された場合（ステップＳ１４においてＹＥＳ）、電子制御装置４０の処理は、ステップＳ１５に移行する。
【００２７】
ステップＳ１５では、電子制御装置４０は、フィルタ１７の自動再生処理を終了する。すなわち、電子制御装置４０は燃料添加弁３２から排気通路１５内への燃料添加を停止させる。その後、電子制御装置４０の一連の処理は終了し、ステップＳ１１の処理にリターンする。
【００２８】
一方、ステップＳ１３において、排気空燃比Ｒが閾値Ｘを超えていると判定された場合（ステップＳ１３においてＹＥＳ）、電子制御装置４０の処理は、ステップＳ１６に移行する。ステップＳ１６では、電子制御装置４０は、上述したフィルタ１７の自動再生終了条件が成立しているか否かに拘らず、フィルタ１７の自動再生処理を終了する（燃料添加弁３２から排気通路１５内への燃料添加を停止させる）。その後、電子制御装置４０の処理は、ステップＳ１７に移行する。
【００２９】
ステップＳ１７では、電子制御装置４０は、内燃機関１０の機関運転状態がアイドル運転であるか否かを判定する。アイドル運転であると判定される条件は、例えば、内燃機関１０の機関回転数が規定回転数（数百ｒｐｍ）未満であること、車両のアクセルペダルが踏み込まれていないことなどである。アイドル運転でないと判定された場合（ステップＳ１７においてＮＯ）、電子制御装置４０の処理は、再びステップＳ１７に移行する。すなわち、電子制御装置４０は、内燃機関１０の機関運転状態がアイドル運転になるのを待つ。アイドル運転であると判定された場合（ステップＳ１７においてＹＥＳ）、電子制御装置４０の処理は、ステップＳ１８に移行する。
【００３０】
ステップＳ１８では、電子制御装置４０は、酸化触媒１６の再生を実行する。具体的には、この実施形態では、電子制御装置４０は、ステップＳ１２の実行前よりも吸気流量Ｇａが小さくなるように、図示しないスロットルバルブの開度を調整する。それと共に、電子制御装置４０は、各気筒内への燃料噴射のタイミングを遅角させる。これにより、酸化触媒１６に供給される排気の温度が、酸化触媒１６に固着した堆積物を燃焼可能な温度として定められた規定温度以上に高められる。この酸化触媒１６の再生は、予め定められた一定期間行われる。その後、電子制御装置４０の処理は、ステップＳ１９に移行する。
【００３１】
ステップＳ１９では、電子制御装置４０は、燃料添加弁３２から排気通路１５内へと燃料を添加させる。このときの燃料の添加量は、排気中に含まれる酸素で燃料を燃焼しきれる量に定められている。また、ステップＳ１９における燃料添加は、フィルタ１７の再生（微粒子の燃焼）を目的としたものではないため、フィルタ１７の自動再生処理中における燃の添加量よりも量が少なくなっている。ステップＳ１９の後、電子制御装置４０の処理は、ステップＳ２０に移行する。
【００３２】
ステップＳ２０では、電子制御装置４０は、フィルタ１７の温度が高いか否かを判定する。この実施形態では、電子制御装置４０は、第２温度センサ３４によって検出されるフィルタ入口温度Ｔ２が第１所定温度よりも高く、且つ第３温度センサ３５によって検出されるフィルタ出口温度Ｔ３が第２所定温度よりも高い場合に、フィルタ１７の温度が高いと判定する。第１所定温度は、ステップＳ１９の処理で添加された燃料が酸化触媒１６内において全て酸化されたと仮定した場合のフィルタ入口温度Ｔ２よりもやや低い温度として定められている。同様に、第２所定温度は、ステップＳ１９の処理で添加された燃料が酸化触媒１６内において全て酸化されたと仮定した場合のフィルタ出口温度Ｔ３よりもやや低い温度として定められている。フィルタ１７の温度が高くないと判定された場合（ステップＳ２０においてＮＯ）、電子制御装置４０の処理は、再びステップＳ１９に移行する。フィルタ１７の温度が高いと判定された場合（ステップＳ２０においてＹＥＳ）、電子制御装置４０の一連の処理は終了し、ステップＳ１１の処理にリターンする。
【００３３】
本実施形態の作用及び効果について説明する。
上記実施形態において、フィルタ１７の再生処理の実行中は、燃料添加弁３２から添加された燃料が酸化触媒１６において酸化されて、排気の温度が上昇する。ここで、仮に、酸化触媒１６の触媒表面に堆積物が固着していると、酸化触媒１６において排気中の燃料と触れることのできる面積、すなわち有効反応面積が減少する。すると、酸化触媒１６において燃料が期待どおりに酸化されず、排気が十分に昇温されなくなる。排気の昇温が十分でないと、フィルタ１７も十分に昇温されないので、酸化触媒１６で酸化しきれなかった燃料がフィルタ１７においても酸化（燃焼）されず、排気と共に車両外に排出されることになる。このように未燃の添加燃料が車両外に排出されると排気中に白煙が生じるため、これを見た人が、微粒子を含んだ排気を排出しているのではないかと誤解するおそれがある。そこで、このような未燃添加燃料に起因する白煙の発生を防ぐために、フィルタ１７の再生処理の実行中において燃料添加弁３２からの燃料添加量を少なくすることが考えられる。しかしながら、この場合は、フィルタ１７を十分な温度にまで昇温するのに時間を要してしまう。
【００３４】
上記実施形態では、触媒再生処理を実行して、酸化触媒１６に固着している堆積物を燃焼させている。したがって、その後、フィルタ１７の再生処理を行うときには、酸化触媒１６に固着されていた堆積物は、ある程度除去されており、酸化触媒１６において添加燃料を適切に酸化できる。したがって、燃料添加弁３２からの燃料添加量を少なくしなくても、未燃添加燃料に起因する白煙の発生は抑えられるし、フィルタ１７の昇温に過度に長い時間を要することもない。
【００３５】
また、上記実施形態では、フィルタ１７の再生処理の実行中において排気空燃比Ｒが閾値Ｘを超えている場合、換言すれば、酸化触媒１６に堆積物が固着している可能性が高い場合に、触媒再生処理を実行する。そのため、フィルタ１７に堆積物が固着していない状況下で触媒再生処理が実行されるといった事態は発生しにくい。
【００３６】
さらに、上記実施形態では、触媒再生処理を実行した後、燃料添加弁３２から燃料を添加してフィルタ１７の温度が高くならなかった場合には、再び、触媒再生処理を実行する。したがって、触媒再生処理を実行したにも拘らず、依然としてフィルタ１７に相当量の堆積物が固着したままになっているといった事態は生じにくい。
【００３７】
上記実施形態では、触媒再生処理は、内燃機関１０の機関運転状態がアイドル運転であることを条件に実行される。アイドル運転である場合には、比較的に内燃機関１０の運転状態は安定しており、吸気流量Ｇａの変化や燃料噴射タイミングの変化の影響を受けにくい。このようなアイドル運転時に触媒再生処理を行うことは、触媒再生処理に伴って内燃機関１０にノッキングや失火が生じることを低減するという点で好適である。
【００３８】
本実施形態は、以下のように変更して実施することができる。本実施形態及び以下の変更例は、技術的に矛盾しない範囲で互いに組み合わせて実施することができる。
・上記実施形態の内燃機関１０の構成は例示であり、必要に応じて適宜変更できる。例えば、内燃機関１０の気筒の数は４つでなくてもよく、３つ以下、５つ以上であってもよい。また、各気筒がクランクシャフトを挟んで両側に配置されたＶ型、水平対向型の内燃機関１０であってもよい。また、ターボチャージャ２０が搭載されていなくてもよい。
【００３９】
・上記実施形態では、排気空燃比Ｒが閾値Ｘを超えていることを条件にフィルタ１７の自動再生処理が終了された後、このフィルタ１７の自動再生処理終了に引き続いて触媒再生処理を実行したが、これに限らない。例えば、前回の触媒再生処理から一定期間（例えば数ヶ月）以上経過したこと、フィルタ１７の自動再生処理が実行中でないこと、内燃機関１０の機関運転状態がアイドル運転であることを条件に触媒再生処理を実行してもよい。
【００４０】
・上記実施形態におけるフィルタ１７の自動再生前提条件は例示であり、上記実施形態の条件に代えて又は加えて他の条件があってもよい。同様に、フィルタ１７の自動再生終了条件も適宜変更できる。
【００４１】
・内燃機関１０の機関運転状態がアイドル運転でない場合に触媒再生処理を実行することも可能である。ただし、内燃機関１０においてノッキング等の発生を防ぐという意味では、内燃機関１０の機関負荷率等が急変しないと予想される状況で触媒再生処理を実行するのが好ましい。
【００４２】
・電子制御装置４０によって触媒再生処理の実行条件を判定するのに代えて、又は加えて、車両の乗員等によって触媒再生処理を実行できるようにしてもよい。例えば、触媒再生処理を実行するためのスイッチや操作レバーを運転席近傍に設け、これらスイッチや操作レバーが操作されたときに、他の条件に拘わらず触媒再生処理を実行できるようにしてもよい。
【００４３】
・触媒再生処理において、フィルタ入口温度Ｔ２及びフィルタ出口温度Ｔ３に依らずに当該触媒再生処理を終了させることもできる。例えば、触媒再生処理が開始されてから、一定の期間が経過したことを条件に、触媒再生処理を終了させてもよい。この場合の一定期間は、酸化触媒１６に固着した堆積物が燃焼するのに十分な時間として定められていることが好ましい。この変更例の場合、触媒再生処理の後の燃料添加（上記実施形態におけるステップＳ１９）は不要である。
【００４４】
・触媒再生処理において、排気を昇温させる方法は、上記実施形態の例に限らない。例えば、排気管１４の周囲や内部にヒータを配置して、このヒータで排気管やその内部の排気を加熱することにより、排気を堆積物の燃焼が可能な温度にまで昇温してもよい。
【符号の説明】
【００４５】
１０…内燃機関、１１…機関本体、１２…吸気管、１３…エキゾーストマニホールド、１４…排気管、１５…排気通路、１６…酸化触媒、１７…ディーゼルパティキュレートフィルタ、２０…ターボチャージャ、２１…タービン部、２２…コンプレッサ部、２３…ベアリング部、３１…エアフローメータ、３２…燃料添加弁、３３…第１温度センサ、３４…第２温度センサ、３５…第３温度センサ、３６…空燃比センサ、４０…電子制御装置、
Ｇａ…吸気流量、Ｔ１…触媒入口温度、Ｔ２…フィルタ入口温度、Ｔ３…フィルタ出口温度、Ｒ…排気空燃比、Ｓ…制御信号。
【図１】
2020063709.tif 000003
【図２】
2020063709.tif 000004